Podtech/llm-jp-corpus-v4-ja_patent huggingface dataset:
(57)【要約】      （修正有）【課題】家庭内のどのような居住空間に置いても違和感のない形状の遺骨収納容器を提供する。【解決手段】デザイン性に優れた形状で、色彩や焼き物の種類を多様化した陶磁器１の内部に、空洞部分を設け遺骨収納部とする遺骨収納容器を製作する。遺骨収納容器の前面には金属の銘板２を貼り、故人の紹介を記載する。遺骨収納容器底部の開放部分に、蓋の機能を兼ねる木製底板の基盤３が付き、遺骨収納容器と基盤は、硬貨で簡単に締め付けができるネジで着脱が出来る。この実施形態により、装飾的で機能的な遺骨収納容器となり、どのような居住空間に置いても違和感がなく、遺骨収納容器と顕著に目立たず、家庭内での遺骨の保管・安置が身近で容易なものとなる。【選択図】図１
0003118351.tif 000002
【実用新案登録請求の範囲】
【請求項１】
遺骨の自宅保管を容易に行なうために、陶磁器製の置物の内部に遺骨を収納するスペースを設け、置き物の前面に金属板を貼り付けて故人の紹介が記載でき、蓋の機能を兼ねる木製の底板が、底板側から硬貨で簡単に開閉できるネジで着脱できることを特徴とする遺骨収納容器。
【考案の詳細な説明】
【技術分野】
【０００１】  本考案は、家庭内のどのような居住空間にも、違和感なく遺骨を保管・安置できる遺骨収納容器に関する。
【背景技術】
【０００２】  家庭内に遺骨を保管安置する場合、図３に示すように、従来からある伝統的な円筒型の陶器製の蓋付き骨壷を使うことが多い。
【考案の開示】
【考案が解決しようとする課題】
【０００３】  しかしながら、従来の骨壷は、形状が大振りで体裁の良いものが無く、通常は家庭内でなるべく人目に触れないような場所に安置している。そこで、本考案は、家庭内のどのような居住空間に置いても違和感のない形状の遺骨収納容器を提供することを課題とする。
【課題を解決するための手段】
【０００４】  以上の課題を解決するために、本考案は、高級感あふれる装飾性の高い陶磁器を用いて置物を製作し、その内部に遺骨を収容できる収納容器とし、収納容器の前面に金属板を貼り付けて、故人の名前、生年月日、命日、写真や言葉を記載できて、蓋の機能を兼ねる木製の底板と収納容器が、底板側から硬貨で簡単に開閉できるネジで着脱できることを特徴とする遺骨収納容器である。
【考案の効果】
【０００５】  本考案によれば、デザイン性に優れた形状の陶磁器製の置物の内部に遺骨が収納され、金属の銘板には故人の紹介が記載され、蓋の機能を兼ねる木製底板の基盤と前記遺骨収納容器が、底板側から簡単に開閉できるネジを用いて着脱できるため、遺骨の出し入れも容易に行える。家庭内の居住空間に置いても遺骨収納容器であると顕著に目立たず、装飾的で機能的な遺骨収納容器として家庭における遺骨の保管・安置が身近で容易なものとなる。
【考案を実施するための最良の形態】
【０００６】  本考案の実施形態を、図１と図２に示す。
デザイン性に優れた形状で、色彩や焼き物の種類を選択できる置物本体１を陶磁器で作り、内部の空洞部分５を遺骨収納部とする遺骨収納容器を製作する。粉骨し粉末化して容量を少なくした遺骨を、樹脂製の袋に密封し、金襴袋に包んで遺骨収納部に収める。遺骨収納容器の前面には金属の銘板２を取り付け、故人の紹介が記載できる。遺骨収納容器の底部開放部分に、蓋の機能を兼ねる木製底板の基盤３が付く。遺骨収納容器と基盤は、硬貨で簡単に締め付けができるネジ４を用いて着脱が出来る。
【実施例】
【０００７】  この実施形態によれば、装飾的で機能的な遺骨収納容器となり、デザイン性に優れた形状であることから、遺骨が収納されている容器であることが顕著には目立たない。そして、家庭内の居間、飾り棚、本棚、等の、どのような場所に置いても違和感を感ずることなく、故人をお祀りできる。今後は増加の一方となるといわれている家庭内での遺骨の保管・安置が、非常に身近で容易に行うことができる。
【図面の簡単な説明】
【０００８】
【図１】  本考案の一実施形態を示す斜視図である。
【図２】  本考案の一実施形態を示す分解図である。
【図３】  従来からある伝統的な骨壷の形状である。
【符号の説明】
【０００９】      １  陶磁器製の遺骨収納容器本体
２  故人を紹介する金属性の銘板
３  蓋の機能を持つ着脱ができる木製の基盤
４  硬貨で締め付けができるネジ
５  陶磁器内部に設けられた遺骨収納部
【図１】
0003118351.tif 000003
【図２】
0003118351.tif 000004
【図３】
0003118351.tif 000005
(57)【要約】【課題】ゴルフドライバーヘッドに風圧矯正ホールが開けてあるゴルフドライバー。ゴルフのドライバーのスイングをより正確にするための新しいドライバーを作る。【解決手段】ゴルフドライバーヘッドに２個の風圧矯正ホールを開けたドライバー。【選択図】図１
0003118352.tif 000002
【実用新案登録請求の範囲】
【請求項１】
ゴルフドライバーのヘッド部分に風圧矯正ホールが開けてあるドライバー。
【考案の詳細な説明】
【技術分野】
【０００１】今までは、ゴルフドライバーのスイング方向を正確に打つには、ゴルファー自身の技術だけが頼りで、ドライバーそのものの形態はあまり変化がない。
【背景技術】
【０００２】ゴルフドライバーは、ウッド製から鉄、チタン等の素材を利用して作られてきたが、ドライバーの形の変化は、少しはあるがそれほど新しい形態はない。
【考案の開示】
【考案が解決しようとする課題】
【０００３】ゴルフドライバーのスイング時に、ドライバーヘッドのボールに対しての当たる角度の矯正が難しい。スイング練習時に正しい感覚をつかむことのできるドライバーを作る。
【課題を解決するための手段】
【０００４】ゴルフドライバーのヘッド部分に２個の風圧矯正ホールを開けたゴルフクラブを作る。
【考案の効果】
【０００５】        ヘッド部分に２個の風圧矯正ホールが有ることで、スイング時にドライバーヘッドが風圧に負けないで正しいスイングができ、今まで難しかったスイング感覚をつかむことができ、ボールの飛距離を伸ばすことができる。
【考案が実施されるための形態】
【０００６】クラブのヘッドのゴルフボール接触面の先端部と手前の２箇所に風圧矯正ボールを開けてあるゴルフドライバー。
【実施例１】
【０００７】        図１はドライバーヘッドの正面図で、１はドライバーヘッドで、２はゴルフボールの当たる部分である。３と４がドライバーヘッドに開けた風圧矯正ホールである。
【産業上の利用可能性】
【０００８】本考案ドライバーを使用することで、正確なスイングができボールの飛距離も伸ばすことができ、多くのゴルファーの利用が可能となる。
【図面の簡単な説明】
【０００９】
【図１】ゴルフドライバーの正面図である。
【符号の説明】
１      ゴルフドライバーヘッド
２      ゴルフボールの当たる部分
３      ドライバーヘッドの先端部ホール
４      ドライバーヘッドの手前部ホール
５      空気ぬけ穴
【図１】
0003118352.tif 000003
(57)【要約】      （修正有）【課題】雨降りの夜間は視界が悪いので傘に、信号灯を取り付けることで、歩行者が走行中の車や周囲に傘から発信する光信号によって、常に歩行中の所在を知らせ、歩行中の安全確保に役立つ傘を提供する。【解決手段】傘の一部分に、点灯や点滅の光信号が発信できるようになっている、信号灯３を取り付ける。例えば、傘１の先端部分２に取り付ける。または、傘の親骨端し部分５や手元部分７に取り付ける。このように傘に信号灯を組合せることで、傘と信号灯が一体化となる。よって、雨降りの日は、この傘の信号灯を作動させ使用することで、歩行者の歩行中の所在を走行中の車や周囲に知らせることができるので、歩行中の安全確保に役立つ傘となる。【選択図】図１
0003118357.tif 000002
【実用新案登録請求の範囲】
【請求項１】
傘の一部分に、点灯や点滅の光信号が発信できるようになっている、信号灯を取り付けた、傘と信号灯の組合せである、信号灯付き傘。
【考案の詳細な説明】
【技術分野】
【０００１】  本考案は、傘から、点灯や点滅の光信号が発信できるようになっている、信号灯を取り付けた、傘に関するものである。
【背景技術】
【０００２】  雨降りの夜間は視界が悪いため、特に走行している車の運転者からは傘を使用している歩行者が見えにくく危険な場合がある。歩行者は車からのライトや音で遠方から、その所在を知ることができるが、ほとんどの歩行者は歩行中の所在を遠方や周囲に知らせるすべを持っていない。
【考案の開示】
【考案が解決しようとする課題】
【０００３】  運転者や歩行者は安全確保に常に注意を払っていなくてはならないのは当然であるが、その労力はやはり大きな負担となっている。雨降りの時は、歩行者は必ず傘を使用している場合が多い。それ故その傘に、点灯や点滅の光信号が発信できるようになっている信号灯を取り付けることで、歩行者が、走行中の車や周囲に傘から発信する光信号によって、常に歩行中の所在を知らせようとするものである。
【課題を解決するための手段】
【０００４】  本考案は、傘の一部分に、点灯や点滅の光信号が発信できるようになっている、信号灯を、例えば、図１で見るように傘１の先端部分２に取り付ける。このように傘に信号灯を組合せることで、傘１と信号灯３が一体化となり問題点を解決している。
【考案の効果】
【０００５】  本考案の信号灯付き傘は、雨降りで視界の悪い夜間に、傘から点灯や点滅の光信号を発信していることで、遠方からでも常に歩行者の歩行中の所在を走行中の車の運転者や周囲に知らせることができる。なお、本考案の特徴は二つの機能が一体化しているため、雨降りの日には信号灯付き傘を使用することで、自然なかたちで確実に前述の機能が働き、歩行者に対する安全確保の向上に役立つ傘となる。
【考案を実施するための最良の形態】
【０００６】  例えば、図１で見るように、傘の一部分に、点灯や点滅の光信号が発信できるようになっている発光色も複数ある、信号灯３を、例えば、傘１の先端部分２に接着剤や機械的手段、または挿入やねじ込み、はめ込みや巻き付けなどの方式で取り付ける。信号灯３は、保守がしやすいように着脱ができるようにしても良いし、それらの結合部分は防水構造になっている。また、先端部分２に取り付けた場合は、衝撃などを受けやすいので、その対応として保護や強度を高めるために信号灯３の上から金属製のカバーを付けても良い。なお、本考案において信号灯３を取り付ける実施態様としては、図１のようなものの他に次のようなものがある。
▲１▼  図２で見るように、信号灯３を傘１の複数ある親骨端し部分５に接着剤や機械的手段、または挿入やねじ込み、はめ込みや巻き付けなどの方式で取り付ける方法。
▲２▼  図３で見るように、信号灯３を傘１の手元部分７に接着剤や機械的手段、または挿入やねじ込み、はめ込みや巻き付けなどの方式で取り付ける方法。
▲３▼  信号灯を傘の中棒部分に接着剤や機械的手段、または挿入やねじ込み、はめ込みや巻き付けなどの方式で取り付ける方法。
【実施例】
【０００７】  例えば、図１に見るものは、信号灯３を傘１の先端部分２に接着剤や機械的手段、または挿入やねじ込み、はめ込みや巻き付けなどの方式で取り付ける。結合部分は防水構造になっている。【０００８】  例えば、図２に見るものは、信号灯３を傘１の複数ある親骨端し部分５に接着剤や機械的手段、または挿入やねじ込み、はめ込みや巻き付けなどの方式で取り付ける。結合部分は防水構造になっている。【０００９】  例えば、図３に見るものは、信号灯３を傘１の手元部分７に接着剤や機械的手段、または挿入やねじ込み、はめ込みや巻き付けなどの方式で取り付ける。結合部分は防水構造になっている。【００１０】  本考案は、上述のような構成から成るものであるから雨降りの夜間に、信号灯を作動して使用すれば、歩行者は常に歩行中の所在を遠方や周囲に知らせることができ、歩行中の安全確保に役立つ傘となる。
【図面の簡単な説明】
【００１１】  傘で、本考案の実施例として洋傘の場合のみについて示してみる。【図１】傘１の先端部分２に信号灯３を取り付けた正面図である。
【図２】傘１の複数ある親骨端し部分５に信号灯３を取り付けた正面図である。
【図３】傘１の手元部分７に信号灯３を取り付けた正面図である。
【符号の説明】
【００１２】  １  傘
２  先端部分
３  信号灯
４  生地部分
５  親骨端し部分
６  中棒部分
７  手元部分
【図１】
0003118357.tif 000003
【図２】
0003118357.tif 000004
【図３】
0003118357.tif 000005
(57)【要約】【課題】  回転盤式ピッチングマシンの小型化【解決手段】  ひとつの回転盤ではボールにスピードを乗せにくいために、回転盤を二段式にし、ボールの滑りをなくすために回転盤に、金具を取り付けることにより、よりボールにスピードを乗せることが出来るようになる。【選択図】  図１
0003118311.tif 000002
【実用新案登録請求の範囲】
【請求項１】
ひとつの回転盤ではボールにスピードを乗せにくいために、回転盤を二段式にした。
【請求項２】
ボールの滑りをなくすために回転盤に、金具を取り付けた。
【考案の詳細な説明】
【技術分野】
【０００１】
本考案は、ピッチングマシンにおけるボールのスピードアップに関する。
【背景技術】
【０００２】
従来の回転盤式ピッチングマシンの形状は、一つの回転盤によってボールにスピードをつけていた。
【考案の開示】
【考案が解決しようとする課題】
【０００３】
しかしながら、これでは、ボールにスピードを乗せにくく、回転盤も大きなものなってしまった。
【課題を解決するための手段】
【０００４】
以上の課題を解決するために、第一考案は、ボールに初期スピードをつけるために、回転盤を二つ設けたことである。また、第二考案は、ボールのすべりをなくすために、滑り止めの金具を設けたことである。
【考案の効果】
【０００５】
第一考案、または第二考案によれば、ボールによりスピードを乗せることが出来、マシン自体の大きさもコンパクトにすることが出来る。
【考案を実施するための最良の形態】
【０００６】
この考案の一実施形態を、図１（第一考案）に示す。回転盤１によって加速されたボールを、回転盤２にそってさらに加速する。図（第二考案）にて、金具を示す。形状はボールの形を考慮した。
【図面の簡単な説明】
【０００７】
【図１】この考案の一実施形態（考案１）を示す斜視図である。
【図２】この考案の一実施形態（考案２）を示す斜視図である。
【図３】この考案の一実施形態（考案２）を示す鳥瞰図である。
【符号の説明】
【０００８】
１  ボール滑り止め金具
２  金具止め用部材
３  回転盤
４  金具止め用部材を回転盤につける部品
５  回転盤表面
【図１】
0003118311.tif 000003
【図２】
0003118311.tif 000004
【図３】
0003118311.tif 000005
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
ひとつの回転盤ではボールにスピードを乗せにくいため、回転盤を二段式にしたピッチングマシン。
【請求項２】
ボールの滑りをなくすために回転盤に、金具を取り付けたピッチングマシン。
【手続補正書】
【提出日】平成17年11月17日(2005.11.17)
【手続補正１】
【補正対象書類名】実用新案登録請求の範囲
【補正対象項目名】全文
【補正方法】変更
【補正の内容】
【実用新案登録請求の範囲】
【請求項１】
ボールにスピードをつける回転盤を二段式にしたピッチングマシン
(57)【要約】      （修正有）【課題】テープカッターを使用する場合の指先に安全なテープカッターの仕組みを提供する。【解決手段】テープカッターの仕組みを従来と逆にする為、作用軸先端に作用面が露出され、支点延長先にカッターを下向きに装着する。粘着テープの粘着面を従来と反対向きに上向きにする。粘着テープはテープガイドを通り、粘着面が作用軸先端の作用面に接触される。カッターは常時格納されているが、使用時に粘着テープを引き出し露出している作用面に当てると、その力により格納されているカッターが飛び出し粘着テープが切断される。その後作用面が戻り、カッターも格納され指先等にカッターが触れない仕組みのテープカッター。【選択図】図１
0003118314.tif 000002
【実用新案登録請求の範囲】
【請求項１】
テープカッターの仕組みを従来と逆にする為、粘着テープを従来と逆に粘着面を上に向けセットし、従来上向きのカッターを下向きに付け、カットする時に作用軸の先端部分の作用面が押され、その力により格納されているカッターが飛び出し、テープがカットされ、その後作用面が解放されカッターが再び格納される。
【考案の詳細な説明】
【考案の詳細な説明】
【技術分野】
【０００１】  本考案は、テープカッターの仕組みに関するものである。
【背景技術】
【０００２】  従来のテープカッターの仕組みとして、大きさの違いはあるが全て同じ仕組みである。その仕組みとは、回転するテープホルダーに粘着テープを装着し、粘着面を下に向け、上向きのカッターに置く。使用する時には指でテープを持ち、必要な長さを引っ張り、上向きのカッターに当て切り取る。しかしながら、カッターが上向きに飛び出ている為、指先等に触り、皮膚を傷つけてしまう。
【考案の開示】
【考案が解決しようとする課題】
【０００３】  本考案は、従来の技術の有するこのような問題点に鑑みてなされたものであり、その目的とするところは、指先に安全なテープカッターの仕組みを提供することを課題とする。
【課題を解決するための手段】
【０００４】  上記の課題を解決するため、粘着テープを従来と逆に粘着面を上に向けセットし、従来上向きのカッターを下向きに付け、カットする時に作用軸の先端部分の作用面が押され、その力により格納されているカッターが飛び出し、テープがカットされ、その後作用面が解放されカッターが再び格納される。
【考案の効果】
【０００５】  本考案は上述のとおり構成されているので、次に記載する効果を奏する。カッターが下向きに格納されている為、カッターに指先等が触れずに粘着テープをカットする事ができ、外見的にもカッターが目に触れずスマートである。
【考案を実施するための最良の形態】
【０００６】  上記した本考案の実施例を図面に従って詳述する。図１に示すように、作用軸（１）先端に作用面（２）が露出され、支点（３）延長先にカッター（４）を下向きに装着する。粘着テープ（５）の粘着面を従来と反対向きに上向きにする。粘着テープ（５）はテープガイド（６）を通り、粘着面が作用軸（１）先端の作用面（２）に接触される。カッター（４）は常時格納されているが、使用時に粘着テープ（５）を適量引き出し、カットする長さまで来たら上方に引くと、テープが露出している作用面（２）に当たり、その力により格納されているカッター（４）が飛び出し粘着テープ（５）が切断される。その時点で指先はカッターから離れている。また、カットされた時点で作用面（２）が戻り、カッター（４）も格納される。
【図面の簡単な説明】
【図１】２分割した側面図である。
【符号の説明】
１  作用軸
２  作用面
３  支点
４  カッター
５  粘着テープ
６  テープガイド
【図１】
0003118314.tif 000003
【手続補正書】
【提出日】平成17年10月18日(2005.10.18)
【手続補正１】
【補正対象書類名】実用新案登録請求の範囲
【補正対象項目名】全文
【補正方法】変更
【補正の内容】
【実用新案登録請求の範囲】
【請求項１】
テープカッターの仕組みを従来と逆にする為、粘着テープを従来と逆に粘着面を上に向けセットし、従来上向きのカッターを下向きに付け、カットする時に作用軸の先端部分の作用面が押され、その力により格納されているカッターが飛び出し、テープがカットされ、その後作用面が解放されカッターが再び格納されることを特徴とするテープカッター。
(57)【要約】      （修正有）【課題】人体装着用アクセサリーレースリング（ブレスレット等）において連結用付属品（止め金具やマジックテープ等）を不要とすること。【解決手段】主モチーフ部分１と従モチーフ部分２で構成し、主モチーフ部分１の片端に従モチーフ部分２が潜り抜けて引っ掛かる、引っ掛け孔３を設けることにより主モチーフ１と従モチーフ２がリング状に連結されるようにした。【選択図】図１
0003118318.tif 000002
【実用新案登録請求の範囲】
【請求項１】
人体装着用のアクセサリー用レースリングにおいて、レース主モチーフ部分と、その主モチーフの一端に繋げられた同一形状もしくは形状は異なるがほぼ同寸法で連鎖状に形成されたレース従モチーフ部分と、更に前記主モチーフ部分の他端に、前記従モチーフが潜り抜けて主従両モチーフにて任意の径のリング状を形成するための引っ掛け孔を有することを特徴とする。
【考案の詳細な説明】
【技術分野】
【０００１】本考案は連結用付属品の不要なアクセサリー用レースリングに関する。
【背景技術】
【０００２】従来、レース製のアクセサリーリングで付属品（止め付け金具やマジックテープ等）を使用しなしで連結させる方法としては、実用新案登録３０８４２８６号（以下前考案と表記）があった。
【考案の開示】
【考案が解決しようとする課題】
【０００３】前考案では、レースをリング状に連結させる方法が作業的にも、時間的にも手間取るという問題点と、連結機能を維持するためにレースデザイン形状に制約があるという問題点があった。
【課題を解決するための手段】
【０００４】レース主モチーフ部分と、その主モチーフの一端に繋げられた同一形状もしくは形状は異なるがほぼ同寸法で連鎖状に形成されたレース従モチーフ部分と、更に前記主モチーフ部分の他端に、前記従モチーフが潜り抜けて主従両モチーフにて任意の径のリング状を形成するための引っ掛け孔を有するようにした。
【考案の効果】
【０００５】  ▲１▼連結方法の改良。
前考案「図３」「図４」のように糸で出来た線状のループ５にレース６を潜らすのではなく、本考案では「図１」のごとく主モチーフ部分１の端に引っ掛け孔３を設けたことにより引っ掛け孔３は平面上に有り、従モチーフ２を連結の目的で引っ掛け孔３に潜らせる時に、前考案の線状のループ５より形状が安定し、捻れ難くなり、作業的、時間的にも手間取らなくなった。
▲２▼商品価値向上のためのデザイン形状の制約幅が広がった。
前考案では「図３」のレース６が品物の商品的デザイン性と機能性を兼ね備えたものでなくてはならず、レースのデザイン形状に制約が有った。その理由はループ５をレース６が潜り、レース６の凹凸部分にループ５が引っ掛かり、止まらなければリング状に連結状態を維持出来ないため、レース６は凹凸形状を必須条件とし、尚且つ人体使用時に各自のサイズに任意に適合させるためには一定の狭い間隔で、同一形状かほぼ同寸法で連鎖状に形成されなくてはならなかったが、本考案では「図１」のごとく主モチーフ部分１と従モチーフ部分２の構成にすることで、主モチーフ部分１は連結やサイズ調節機能に関係なく、形状にも囚われず自由なデザイン表現が可能となり、デザイン形状の制約幅が広がり、その代わり従モチーフ部分２は連結やサイズ調節機能を兼ね備えた連鎖状の形状にした。
【考案を実施するための最良の形態】
【実施例】
【０００６】以下添付図面に従って実施例を説明する。本考案は刺繍用の糸のみで機械的に織り込まれたレースであり、糸以外の物は使われていない。「図１」は人体の手首用のブレスレットの平面図である、全長が約２０ｃｍ、幅が約２ｃｍ、厚みが約０．１ｃｍから成り、１が主モチーフ部分で品物として表現したい主要部分であり、２が従モチーフ部分で連結やサイズ調節の機能を目的としており複数の同一形状のモチーフが連鎖状に形成されている。また、主モチーフ部分１の一端には従モチーフ部分２が潜り抜け、引っ掛かり、リング状の連結状態を成すための引っ掛け孔３が設けられている。【０００７】「図２」は「図１」を人体の手首に装着した時の斜視図であり、従モチーフ部分２が引っ掛け孔３を潜り抜け、連結状態になっている図である、従モチーフ部分２の範囲内であれば任意にどのモチーフでも引っ掛かるので、その範囲内であれば人体の各自サイズにフリーサイズに適合できると言える。
【図面の簡単な説明】
【０００８】
【図１】  本考案である、主モチーフ部分１と従モチーフ部分２と引っ掛け孔３からなる連結用付属品の不要なアクセサリー用レースリングの平面図である。
【図２】  本考案である、主モチーフ部分１と従モチーフ部分２と引っ掛け孔３からなる連結用付属品の不要なアクセサリー用レースリングを人体の手首に装着した状態の斜視図である。
【図３】  実用新案登録３０８４２８６号の品物の平面図である。
【図４】  実用新案登録３０８４２８６号の品物がリング状に連結された状態の斜視図である。
【符号の説明】
【０００９】１    ‥‥    レース主モチーフ部分
２    ‥‥    レース従モチーフ部分
３    ‥‥    引っ掛け孔
４．    ‥‥  人体の手首
５    ‥‥    糸で出来た線状のループ
６    ‥‥    レース
【図１】
0003118318.tif 000003
【図２】
0003118318.tif 000004
【図３】
0003118318.tif 000005
【図４】
0003118318.tif 000006
【手続補正書】
【提出日】平成17年11月16日(2005.11.16)
【手続補正１】
【補正対象書類名】実用新案登録請求の範囲
【補正対象項目名】全文
【補正方法】変更
【補正の内容】
【実用新案登録請求の範囲】
【請求項１】
レース主モチーフ部分と、その主モチーフの一端に繋げられた同一形状もしくは形状は異なるがほぼ同寸法で連鎖状に形成されたレース従モチーフ部分と、更に前記主モチーフの他端に、前記従モチーフが潜り抜けて主従両モチーフにて任意の径のリング状を形成するための引っ掛け孔を有することを特徴とするアクセサリー用レースリング。
【手続補正２】
【補正対象書類名】明細書
【補正対象項目名】０００２
【補正方法】変更
【補正の内容】
【０００２】
従来、レース製のアクセサリーリングで付属品（止め付け金具等）を使用しないで連結させる方法としては、実用新案登録３０８４２８６号（以下前考案と表記）があった。
(57)【要約】      （修正有）【課題】男性が小水する度に起きる飛散や滴切れで起きる汚れを防止するトイレットペーパーを提供とする。【解決手段】この考案によれば通常使用されているミシン目列付きトイレットペーパーに垂直方向にミシン目をつくり陰茎に装着して小水を行えば開始時の飛散や終了時の滴切れで服や身体や便器の外側や床に小水が付かずに汚れないし、また通常品のトイレットペーパーのミシン目に新しくミシン目をつくるだけなのでコストが高くならない。【選択図】図１
0003118315.tif 000002
【実用新案登録請求の範囲】
【請求項１】
トイレットペーパー（１）のミシン目列（２）から垂直方向に陰茎が入る長さのミシン目（３）をつくり小水使用前にミシン目（３）を破り、その後陰茎に装着して小水開始時の飛散や終了時の滴切れを防止する男性用トイレットペーパー（１）である。
【考案の詳細な説明】
【技術分野】
【０００１】トイレットペーパーのミシン目列から垂直方向に陰茎が入る長さのミシン目を入れて小水使用前にそのミシン目を破り、その後陰茎に装着して小水開始時の飛散や終了時の滴切れを防止する男性用トイレットペーパーである。
【背景技術】
【０００２】従来には、男性が小水前に便座を上げて便座の裏面に飛散防止カバーを貼り小水後に水に流して使用する便座カバーがあった（例えば特許文献１参照）。この便座カバーだと男性が小水を行う度に特殊な形状のカバーを使用しなければならず費用がかかり過ぎた。また開始時の飛散や終了時の滴切れで出る小水が使用人の服や身体についたり、便器の外側や床に落ちたりして汚れる。
【特許文献１】  実用新案登録第３０８４０９１号
【実用新案の開示】
【実用新案が解決しようとする課題】
【０００３】解決しようとする問題点は、男性が小水する度に起きる飛散や滴切れで起きる汚れを防止するトイレットペーパーを課題とする。
【課題を解決するための手段】
【０００４】トイレットペーパー（１）のミシン目列（２）から垂直方向に陰茎が入る長さのミシン目（３）をつくる。小水前に陰茎から便器内に垂れ下がるだけの長さのミシン目列（２）を切り離す。その後ミシン目（３）を破り、陰茎に装着する。そして小水を開始したときの使用人側の飛散や終了時の滴切れ後に水に流すトイレットペーパー（１）である。
【考案の効果】
【０００５】以上説明したように、この考案によれば通常使用されているミシン目列付きトイレットペーパーに垂直方向にミシン目をつくり陰茎に装着して小水を行えば開始時の飛散や終了時の滴切れで使用人の服や身体についたり、便器の外側や床に小水が落ちたりせずに汚れないので床掃除や敷物の交換をしないで済む。また通常品のトイレットペーパーのミシン目に新しくミシン目をつくるだけなのでコストが高くならない。またミシン目を十文字型や円形に変えても効果は変わらない。
【考案を実施するための最良の形態】
【０００６】以下、この考案の実施の形態について説明する。
（イ）トイレットペーパー（１）のミシン目列（２）から垂直方向に陰茎が入る長さのミ      シン目（３）を入れる。
（ロ）小水開始前に陰茎と便器内に入るだけの長さのトイレットペーパー（１）をミシン      目列（２）から切り離す。
（ハ）ミシン目（３）を破り陰茎に装着する。
（ニ）もう片方のトイレットペーパー（１）の端を便器内に垂らす。
（ホ）小水終了後にトイレットペーパー（１）を水に流す。
本考案は以上のような構造である。
【実施例１】
【０００７】図１はトイレットペーパーホルダー内に垂直方向にミシン目を付けたトイレットペーパーである。
【図面の簡単な説明】
【０００８】
【図１】  本考案の実施形態を示す斜視図である。
【図２】  本考案の正面図である。
【図３】  本考案のミシン目を十文字に変えた正面図である。
【図４】  本考案のミシン目を円形に変えた正面図である。
【符号の説明】
【００１１】  １  トイレットペーパー
２  ミシン目列
３  ミシン目
【図１】
0003118315.tif 000003
【図２】
0003118315.tif 000004
【図３】
0003118315.tif 000005
【図４】
0003118315.tif 000006
(57)【要約】      （修正有）【課題】吸殻がたまる度に捨てる作業が必要なく、不快な匂いを出さず火災の原因とならない灰皿を提供する。【解決手段】金属缶１の上にはめ込み式の蓋２をのせる。金属缶と蓋の接触部分は金属缶内の４の空間が密閉できるように完全に閉まるはめ込み型とする。また、蓋上部には安全に消火できる煙草消火具３を設置する。蓋の上部を通常の皿型灰皿と同じ用途で使用し、煙草消火具にて安全に消火できる。蓋の上部にある程度蓄積された吸い殻は蓋を持ち上げてひっくり返して煙草消火具内の空間に捨てて、蓋を再び元の形に戻す事ができる。【選択図】図１
0003118312.tif 000002
【実用新案登録請求の範囲】
考案の名称  消火具付き灰皿と吸殻を蓄積するスペースを合わした缶型灰皿。
【考案の詳細な説明】
目的  従来の皿型灰皿の用途を生かしつつ吸殻を蓄積できる機能を持った灰皿の提供。
従来の形態  底の浅い皿型灰皿、または蓋はあるものの吸殻を蓄積する部分と外気が直接繋がっている缶型灰皿が多い。
構成  はめ込み式の蓋の付いた金属缶。
蓋の上部が灰皿として使用できるように皿型になっていて尚且つ安全に消火できるように煙草消火具が蓋上部に設置されている缶型灰皿。
考案が解決しようとする課題
（イ）人の手でもみ消す灰皿は完全に消えず、時には他の物に引火、火災の原因となった。
（ロ）皿型灰皿は吸殻が蓄積する度に捨てる作業をしなければならない。
（ハ）吸殻がある程度、蓄積すると周囲に不快な匂いをだしていた。
本考案はその欠点を除く為になされたものである。
問題を解決する手段
これを図面について説明すれば金属缶（１）の上にはめ込み式の蓋をのせる。金属缶と蓋の接触部分は金属缶内の（４）の空間が密閉できるように完全に閉まるはめ込み型とする。また、蓋上部には安全に消火できる煙草消火具を設置する。本考案はこのような構造であるから（２）の上部を通常の皿型灰皿と同じ用途で使用し（３）の煙草消火具にて安全に消火できる。ある程度の煙草を吸い（２）の上部にある程度の蓄積された吸殻は（２）の蓋を持ち上げてひっくり返して（３）内の（４）の空間に捨てて（２）の蓋を再び元の形に戻す事ができる。
蓋をする事で（４）の空間に蓄積された吸殻の匂いを塞ぐと同時に吸殻が露見しない為、いつも清潔感がある。また（４）の空間にある程度の吸殻が溜まるとまとまってゴミ袋に捨てる事ができ従来の灰皿のように吸殻を捨てる手間が省ける。
本考案は（３）の煙草消火具で消火をした後（４）の空間内にいれ（２）の蓋を閉じれば密閉状態になるので二重の消火対策も兼ね揃えている。
考案の効果
火災発生原因の第一位は煙草の吸殻の不始末で、これらの要因を考慮に入れ考案したものである。従来の人の手でもみ消す習慣は完全でなく安全面でいつも不安がある。この考案は蓋上部に煙草消火具を使い消火でき尚且つ金属缶内に入れ蓋をする事により火消し壷となり火を完全に消す事ができる。金属缶は色々な意匠をする事が可能で、テーブルやデスクに置いても違和感がなく室内の装飾にもなる。また従来のように吸殻を捨てるのではなく、まとまって捨てる事ができます。
図面の簡単な説明
図１  外観の斜視図である。
図２  断面図である。
図３  上から見た平面図である。
符号の説明
（１）金属缶
（２）蓋
（３）煙草消化具
（４）吸殻を蓄積する空間
【図１】
0003118312.tif 000003
【図２】
0003118312.tif 000004
【図３】
0003118312.tif 000005
【手続補正書】
【提出日】平成17年10月11日(2005.10.11)
【手続補正１】
【補正対象書類名】実用新案登録請求の範囲
【補正対象項目名】全文
【補正方法】変更
【補正の内容】
【実用新案登録請求の範囲】
【請求項１】
消火具付き灰皿と吸殻を蓄積するスペースを合わした缶型灰皿。
(57)【要約】【課題】  携帯電話機の着信時の振動を感知し、携帯電話機が鞄の中などに入っていて携帯電話機の着信音が聞こえない場合でも着信を通知する。【解決手段】  マナーモードに設定もしくは着信音とバイブレーションを併用する設定にしてある携帯電話機に、振動センサーを内蔵した携帯電話ホルダー型の送信機を密着させ、携帯電話着信時の振動を振動センサーにより感知し、送信機から受信機へ電波を送り、受信機から音を鳴らすまたは受信機を振動させるまたは受信機から音を鳴らしながら振動することにより着信を通知することを特徴とする。【選択図】  図１
0003118317.tif 000002
【実用新案登録請求の範囲】
【請求項１】
携帯電話機に密着させた携帯電話ホルダー型の送信機が、着信時振動モードに設定された携帯電話機の着信による振動を送信機内部の振動センサーにより感知し、送信機から受信機へ電波を送り、電波を感知した受信機が音を鳴らして携帯電話機の着信を知らせることを特徴とする携帯電話の着信を通知する装置。
【請求項２】
前記受信機が送信機からの電波を感知し、受信機を振動させることにより携帯電話機の着信を知らせることを特徴とする請求項１記載の携帯電話の着信を通知する装置。
【請求項３】
前記受信機が送信機からの電波を感知し、受信機が音を鳴らすもしくは受信部が振動するもしくは受信機が音を鳴らしながら振動することをスイッチにより選択できることを特徴とする請求項１記載の携帯電話の着信を通知する装置。
【考案の詳細な説明】
【技術分野】
【０００１】  本考案は、携帯電話機に密着させた振動センサー内蔵の送信機が携帯電話機の着信を振動により感知し、受信機に電波を送り、受信機から音を鳴らすもしくは受信機を振動させるもしくは受信機が音を鳴らしながら振動することを特徴とする携帯電話の着信を通知する装置に関する。
【背景技術】
【０００２】  従来、携帯電話の着信を通知する装置は、携帯電話の着信を感知し、表示器に表示するだけのものであった。【０００３】
【特許文献】特開２００３−１７４４９３号公報
【考案の開示】
【考案が解決しようとする課題】
【０００４】  表示器による表示だけでは、携帯電話機が着信していることを明確に気づかせることが困難であり、また携帯電話機本体が着信音をならす場合でも、鞄の中など密閉された場所にある場合は聞こえづらく、着信に気づかないという欠点があった。
【課題を解決するための手段】
【０００５】  本考案は、マナーモードに設定もしくは着信音とバイブレーションを併用する設定にしてある携帯電話機に、振動センサーを内蔵した携帯電話ホルダー型の送信機を密着させ、携帯電話着信時の振動を振動センサーにより感知し、送信機から受信機に電波を送り、受信機から音を鳴らすもしくは受信機を振動させるもしくは音を鳴らしながら振動することにより着信を通知する。【０００６】  上記振動センサーにおいて、振動センサーを１秒以上の連続振動作動時に着信と判断することにより、鞄の中に入れたまま移動したときに誤作動を起こさないようにするものである。【０００７】  上記送信機及び受信機を１対とし、送受信機ごとに格ＩＤを付与して、混信及びＩＤが当たらない他送信機との通信をしないようにする。
【考案の効果】
【０００８】  本考案の携帯電話の着信を通知する装置にあっては、携帯電話が鞄の中にあり着信音が聞こえづらい状況においても、受信機により着信したことを音または振動により確認でき、携帯電話から離れた場所にいても、送受信機が電波の届く範囲であれば容易に着信を知ることができる。また、送受信機ごとにＩＤを付与するので、他の携帯電話機の着信と混同することがない。
【考案を実施するための最良の形態】
【０００９】  本考案の実施形態を、以下の実施例に従って説明する。
まず着信の通知を行う携帯電話機において、マナーモードに設定もしくは着信音とバイブレーションを併用する設定にしておき、着信があると携帯電話機のバイブレーションが作動するようにしておく。次に、振動センサーを内蔵した携帯電話ホルダー型の送信機を、振動センサー部が携帯電話機と密着するようにセットしておく。受信機は小型の物で、通し穴にネックレスなどを通す事が可能で、またクリップタイプにすれば襟章のように上着などに付けることが可能となり、人間の胸のあたりにセットすることができる。携帯電話機に着信があると、着信によるバイブレーションを振動センサーが感知し、送信機より受信機へ電波が送信される。電波を受信した受信機はスピーカー部から音を鳴らすまたは受信機を振動させるまたは受信機から音を鳴らしながら振動させ、携帯電話に着信があることを通知する。受信部が胸のあたりにあるので、鞄の中やポケットの中にある携帯電話機の着信音よりもはっきりと着信を知ることが可能になる。
【図面の簡単な説明】
【００１０】
【図１】本考案にかかる携帯電話の着信を通知する装置の送信機の概略図である。
【図２】本考案にかかる携帯電話の着信を通知する装置の送信機を折りたたんだ状態の概略図である。
【図３】本考案にかかる携帯電話の着信を通知する装置の受信機で音声のみで通知する装置の概略図である。
【図４】本考案にかかる携帯電話の着信を通知する装置の受信機で振動のみで通知する装置の概略図である。
【図５】本考案にかかる携帯電話の着信を通知する装置の受信機で音声と振動で通知する装置の概略図である。
【図６】本考案にかかる携帯電話の着信を通知する装置の受信機の側面の概略図である。
【符号の説明】
【００１１】１  振動センサー
２  折り返し部
３  電波送信部
４  ネックレス通し穴
５  スピーカー
６  振動部
７  切り替えスイッチ
８  クリップ
【図１】
0003118317.tif 000003
【図２】
0003118317.tif 000004
【図３】
0003118317.tif 000005
【図４】
0003118317.tif 000006
【図５】
0003118317.tif 000007
【図６】
0003118317.tif 000008
(57)【要約】      （修正有）【課題】遊び着にもなり、通園着（制服）としても機能し、しかも、着替が楽な遊び着を提供する。【解決手段】幼稚園児等が装着する遊び着（１）であって、該遊び着の前身頃の首回り（Ａ）において、襟（２）を設け、後側には、襟（２）とは独立して、後身頃の首回り（Ｂ）を、該首回りの両端から筒状体（３）に形成して、内部にゴム（４）を入れ、後身頃の首回り（Ｂ）を伸縮自在にした遊び着から構成される。【選択図】図１
0003118386.tif 000002
【実用新案登録請求の範囲】
【請求項１】
幼稚園児等が装着する遊び着（１）であって、該遊び着の前身頃の首回り（Ａ）に襟（２）を設け、後身頃には、該襟（２）とは独立して、後身頃の首回り（Ｂ）を、筒状体（３）に縫着し、該筒状体（３）内に、後身頃の首回りの両端からゴム（４）を入れ、後身頃の首回り（Ｂ）を伸縮自在にしたことを特徴とする遊び着。
【考案の詳細な説明】
【技術分野】
【０００１】
この考案は、幼稚園児等が園内等で着る遊び着に関するものである。
【背景技術】
【０００２】
近年、幼稚園児・保育園児等の幼児が、園内で遊んだりするために着用する遊び着は、首の回りは、ロウタートルネック状とし、その全周にゴムを入れて伸縮可能にしているもが存在している。
【０００３】
また、襟の付いた遊び着も存在するが、襟には、これにはボタンとかホックが設けられており、そのため、ボタンをボタン穴に嵌めて着用し、脱ぐ場合には、ボタン穴からボタンを外さなければならず、園児にとって極めて困難かつ、煩雑であった。
【０００４】
そのため、遊び着の首回りの全周をギャザーにして内部にゴムを設けたものが存在するが、脱ぎ着が大変楽であり、遊びにも便利であるが、襟がないため、カジュアルすぎて、幼稚園への行き帰りにも着用する際には、見た目にもフォーマルな感じがなく、すっきりと引き締まったものではなかった。
【考案の開示】
【考案が解決しようとする課題】
【０００５】
そこで、この考案は、遊び着にもなり、通園着（制服）としても機能し、しかも、着替が楽な遊び着を開発・提供する必要がある。
【課題を解決するための手段】
【０００６】
そこでこの考案は、幼稚園児等が装着する遊び着（１）であって、該遊び着の首回りにおいて、前側には襟（２）を設け、後側には、袋閉じ部（３）を設けて、内部にゴム（４）を入れて伸縮自在にするものである。
【考案の効果】
【０００７】
この考案によると、園児の着用する遊び着（１）の首回りの前側には、襟（２）を設けているため、着用した場合、園児の顔が引き締まって見え、また、後身頃の首回りには、筒状体（３）を設け、内部にゴム（４）を入れ、後身頃の首回りがギャザーを入れたものとなり、首の部分を被って着用できるため、ボタン掛けのような面倒な作業がなく、迅速に着用でき、しかも、楽に脱ぎ着ができる等の極めて有益なる効果を有する。
【考案を実施するための最良の形態】
【０００８】
そこでこの考案は、幼稚園児等が装着する遊び着（１）であって、該遊び着の前身頃の首回り（Ａ）に襟（２）を設け、後身頃には、該襟（２）とは独立して、後身頃の首回り（Ｂ）を、筒状体（３）に縫着し、該筒状体（３）内に、後身頃の首回りの両端からゴム（４）を入れ、後身頃の首回り（Ｂ）を伸縮自在にしたことを特徴とする遊び着である。
【実施例】
【０００９】
この考案の一実施例を図面に従って詳述すると、幼稚園児等が装着する遊び着（１）であって、該遊び着の前身頃の首回り（Ａ）において、襟（２）を設け、後側には、該襟（２）とは独立して、後身頃の首回り（Ｂ）に、該首回りの両端から筒状体（３）を形成して、内部にゴム（４）を入れ、後身頃の首回り（Ｂ）を伸縮自在にしたことを特徴とする遊び着から構成される。
【００１０】
尚、前身頃の首回り（Ａ）の左右の襟（２）の中央部には、ワンタックのつまみ部（５）を設けて、遊び着の内部に余裕を持たせることもでき、また、飾りボタン等を設けて前身頃部を飾ることもできる。
【産業上の利用可能性】
【００１１】
この考案は、これら遊び着の技術を確立し、この技術に基づいて実施・施工することにより産業上の利用可能性を有する。
【図面の簡単な説明】
【００１２】
【図１】この考案の一実施例を示す正面図である。
【図２】この考案の一実施例を示す一部欠截拡大背面図である。
【符号の説明】
【００１３】
１  遊び着
２  襟
３  筒状体
４  ゴム
５  つまみ部
Ａ  前身頃
Ｂ  後身頃
【図１】
0003118386.tif 000003
【図２】
0003118386.tif 000004
(57)【要約】      （修正有）【課題】靴に軽量化と弾性化の効果を与え、足部により柔らかい且つ快適な感じを持たせて負荷を低減する靴の合成中間層構造を提供する。【解決手段】EVA材(ポリオレフィンプラスチック)とPU材(ポリウレタン)とを利用して靴材の中間層構造にし、EVAの軽量特性とPUの弾性特性を両立させる。EVA材１１を中間層１０の基材とし、複数の荒い周面を有する凹槽１３が形成され、PU膠を塗布して液状のPU材１２を凹槽に注入して硬化成型することにより、合成中間層構造を構成する。EVA材(ポリオレフィンプラスチック)とPU材(ポリウレタン)とを利用して靴材の中間層構造にし、EVAの軽量特性とPUの弾性特性を両立させる。【選択図】図１
0003118855.tif 000002
【実用新案登録請求の範囲】
【請求項１】
EVA材で荒い周縁を有する複数の凹槽や穿孔或いは正面が形成される中間層基材を作製し、また、PU膠を当該荒い周縁に塗布し、液状のPU材を注入して硬化させることにより、合成中間層構造を構成する
ことを特徴とする靴の合成中間層構造。
【請求項２】
必要に応じて、EVAとPUとの２種類の材料の合成割合が選ばれることを特徴とする請求項１に記載の靴の合成中間層構造。
【請求項３】
液状のPU材を金型に注入し、中間層基材の荒い周縁に、PU膠を塗布してから、液状のPU材に入れ込んで、主体がPU材で、局部がEVA材である靴の中間層を構成することにより、快適性が主体で、軽量化が補助である中間層構造が構成されることを特徴とする靴の合成中間層構造。
【考案の詳細な説明】
【技術分野】
【０００１】
本考案は、EVAとPU材からなる靴の中間層である合成中間層構造に関する。
【背景技術】
【０００２】
現在の靴の中間層は、殆どEVA材で発泡成型され、このような材料により、靴の輕量化が実現されるが、発泡してから硬化して成型するため、柔軟性が足りなくなり、履く時、十分な快適性が得られない。
【考案の開示】
【考案が解決しようとする課題】
【０００３】
本考案の主な目的は、柔軟性と軽量性を両立する、有効に従来の中間層材料の欠点を解消できる合成中間層構造を提供する。
【課題を解決するための手段】
【０００４】
本考案は、上記の目的を達成するため、それぞれ特性を有するPUとEVA材で、合成中間層構造を形成し、２種類の異なる材料を緊密に結合することにより、柔軟性と軽量性を両立する合成中間層構造である。
【考案を実施するための最良の形態】
【０００５】
以下、図面を参照しながら、本考案に係わる構造や技術手段及び効果を詳しく説明する。
【０００６】
図１、２のように、本考案の構造は、主として、EVA材１１で、複数の荒い周縁を有する凹槽１３が形成される中間層基材を作製し、また、PU膠を均一に当該凹槽１３の周縁に塗布し、液状のPU材１２を注入して合成中間層１０の構造を構成し、EVA材１１により靴に軽量な中間層主体構造を持たせ、PU材１２により構成される中間層領域構造が、歩く時や走る時、振動を引受ける領域に応じて設置され、当該領域に弾性的且つ柔軟的な快適感を与え、優れた柔軟性や支持保護性を実現する。
【０００７】
図３、４は、本考案の他の合成実施例であり、EVA材１１で、靴の底部よりやや小さい、荒い周縁を有する凹槽１４が形成される中間層基材を作製し、また、PU膠を均一に当該凹槽１４の周縁に塗布し、液状のPU材１２を注入して硬化成型させ、合成中間層１０の構造を構成し、EVA材１１により靴に軽量な中間層の下層構造を持たせ、PU材１２により構成される中間層の上層構造の柔軟である且つ弾性を持つことにより、足部を徹底的に支持保護でき、歩くや走る時の快適性を実現する。
【０００８】
図５、６は、本考案の更に他の合成構造の実施例であり、同じように、EVA材１１で、複数の荒い周縁を有する穿孔１５が形成される中間層基材を作製し、また、PU膠を均一に当該穿孔１５の周縁に塗布し、液状のPU材１２を注入して合成中間層１０の構造を構成し、この実施例においても、同じように、EVA材１１により靴に軽量な中間層基材構造を持たせ、PU材１２により構成される中間層ブロック構造が、穿孔１３の構造により、更に、柔軟性と弾性が向上されて、より良い柔軟性と支持保護性を実現する。
【０００９】
図７、８は、本考案の更に他の合成実施例であり、EVA材１１で足の後部である領域の中間層１０構造を作製し、その先端の正面１６に、PU膠を均一に塗布し、そして、液状のPU材１２に入れ込んで、合成中間層１０が構造され、この実施例において、EVA材１１とPU材１２により、足に柔軟性と弾性を提供し、ユーザに、歩く時、走る時、そして運動する時、快適感を提供できる。
【００１０】
本考案は、以下の組成構造でもよく、例えば、液状のPU材を金型に注入し、EVA材で作製された中間層基材の荒い周縁に、PU膠を塗布してから、液状のPU材に入れ込んで、主体がPU材で、局部がEVA材である靴の中間層を構成することにより、快適性が主体で、軽量化が補助である中間層構造が構成される。
【図面の簡単な説明】
【００１１】
【図１】本考案に係わる合成中間層構造の実施例１の実施概念図
【図２】本考案に係わる合成中間層構造の実施例１の構造関係の概念図
【図３】本考案に係わる合成中間層構造の実施例２の実施概念図
【図４】本考案に係わる合成中間層構造の実施例２の構造関係の概念図
【図５】本考案に係わる合成中間層構造の実施例３の実施概念図
【図６】本考案に係わる合成中間層構造の実施例３の構造関係の概念図
【図７】本考案に係わる合成中間層構造の実施例４の実施概念図
【図８】本考案に係わる合成中間層構造の実施例４の構造関係の概念図
【符号の説明】
【００１２】
１０          中間層
１１          EVA材
１２          PU材
１３          凹槽
１４          凹槽
１５          穿孔
１６          正面
【図１】
0003118855.tif 000003
【図２】
0003118855.tif 000004
【図３】
0003118855.tif 000005
【図４】
0003118855.tif 000006
【図５】
0003118855.tif 000007
【図６】
0003118855.tif 000008
【図７】
0003118855.tif 000009
【図８】
0003118855.tif 000010
(57)【要約】【課題】  網で覆うことで，カ−ブミラ−が曇るという現象を除去可能とする。【解決手段】  カ−ブミラ−を網で覆う。【選択図】図１
0003118817.tif 000002
【実用新案登録請求の範囲】
【請求項１】
屋外に設置されたカ−ブミラ−が曇って使用不能になる気象上の障害に対し，該カ−ブミラ−を網で覆うことを特徴とするカ−ブミラ−の曇り防止装置。
【考案の詳細な説明】
【技術分野】
【０００１】  本考案は，屋外に設置されたカ−ブミラ−の曇り防止装置に関するものである。
【背景技術】
【０００２】  目視による確認が不可能な道路上でカ−ブミラ−は進行方向の道路状況を確認出来る利点があるので実用に共されている。
従来，設置されたカ−ブミラ−は，気象条件が良好な場合の使用に限定されていた。【０００３】しかし，交通量の増加と共に多発する交通事故を減少させるためにはカ−ブミラ−の機能を強化することが必要である。従来，屋外に設置されたカ−ブミラ−は，霜が降りればその為に使用不能になるという気象上の欠点があった。【０００４】  特に，冬期における早朝の通勤・通学の時間帯にあいて，この欠点は大きな障害である。具体的には，カ−ブミラ−が設置されていても使用不能であるために交通上のアクシデントが起きるという問題があった。
【考案の開示】
【考案が解決しようとする課題】
【０００５】  解決しようとする問題点は，屋外に設置されたカ−ブミラ−が気象上の条件により使用不能になる点である。
【課題を解決するための手段】
【０００６】  本考案は，気象上の障害を除去するためカ−ブミラ−を網で覆うことを最も主要な特徴とする。
【考案の効果】
【０００７】  本考案のカ−ブミラ−の曇り防止装置は，カ−ブミラ−を覆う網目のサイズを地域の気象条件に合わせて選択することにより任意の使用水準に調整できるという利点がある。
【考案を実施するための最良の形態】
【０００８】  カ−ブミラ−の曇りを防止するという目的を，全く簡潔に実現した。
【実施例】
【０００９】  カ−ブミラ−を網で覆う方法の説明
図１は，本考案装置の実施例の断面図であって，１はカ−ブミラ−，２は網である。【００１０】  カ−ブミラ−が曇るという現象を除去するに当たり，網で覆うという実装形態を採用したので，実用上の視認性を損なうことなく使用できる。
【産業上の利用可能性】
【００１１】  濃霧時における屋外ランプ装置の良好な視認性の確保が必要な用途にも適用できる。
【図面の簡単な説明】
【００１２】
【図１】カ−ブミラ−の曇り防止装置の実施方法を示した説明図である。
【符号の説明】
【００１３】１  カ−ブミラ−
２  網
【図１】
0003118817.tif 000003